(57)【要約】【課題】外面にリブやへこみがある容器や角形の容器の場合にも容器の外面に付着した水滴を除去することができ、コンベアにより搬送される容器の進行方向の前後面に付着した水滴と容器の両側面に付着した水滴をともに除去することができる容器の水滴除去装置を提供する。【解決手段】コンベア２の搬送方向の上流側であって、コンベア２の両側に対向して配置された対をなす２つの上流側ノズルユニットＮＵ４，ＮＵ４と、コンベア２の両側に対向して配置されるとともに２つの上流側ノズルユニットＮＵ４，ＮＵ４からそれぞれ所定の間隔を置いて下流側に配置された対をなす２つの下流側ノズルユニットＮＵ５，ＮＵ５とを備え、上流側および下流側ノズルユニットのノズルｎは、コンベア２により搬送される容器１の進行方向の前面１Ｆおよび後面１Ｂに向けて同時に圧縮空気を吹き付けることが可能なノズルである。【選択図】図２
2011133153.tif 000002
【特許請求の範囲】
【請求項１】
コンベアにより搬送される容器の外面に付着した水滴を除去する装置において、
前記コンベアの搬送方向の上流側であって、コンベアの両側に対向して配置された対をなす２つの上流側ノズルユニットと、
前記コンベアの両側に対向して配置されるとともに前記２つの上流側ノズルユニットからそれぞれ所定の間隔を置いて下流側に配置された対をなす２つの下流側ノズルユニットとを備え、
前記上流側および下流側ノズルユニットのノズルは、前記コンベアにより搬送される容器の進行方向の前面および後面に向けて同時に圧縮空気を吹き付けることが可能なノズルであることを特徴とする容器の水滴除去装置。
【請求項２】
前記上流側および下流側ノズルユニットのノズルは、それぞれコンベアの幅方向に対して所定角度だけ傾いていることを特徴とする請求項１記載の容器の水滴除去装置。
【請求項３】
前記所定角度は、前記コンベアの幅方向に対して時計方向回りまたは反時計方向回りに２０°〜３０°であることを特徴とする請求項２記載の容器の水滴除去装置。
【請求項４】
搬送される容器のサイズに応じて、前記２つの上流側ノズルユニット間の距離および前記２つの下流側ノズルユニット間の距離を調整可能であることを特徴とする請求項１乃至３のいずれか１項に記載の容器の水滴除去装置。
【請求項５】
搬送される容器のサイズに応じて、前記上流側ノズルユニットと前記下流側ノズルユニットとの間の距離を調整可能であることを特徴とする請求項１乃至４のいずれか１項に記載の容器の水滴除去装置。
【請求項６】
前記上流側および下流側ノズルユニットのさらに上流側及び／又は下流側に、前記コンベアの両側に対向して配置された対をなす２つの他のノズルユニットをさらに備え、該２つの他のノズルユニットは前記コンベアにより搬送される容器の両側面に向けて同時に圧縮空気を吹き付けることが可能であることを特徴とする請求項１乃至５のいずれか１項に記載の容器の水滴除去装置。
【請求項７】
前記対をなす２つの他のノズルユニットは、前記コンベアの搬送方向に間隔を置いて複数対設けられていることを特徴とする請求項６記載の容器の水滴除去装置。
【請求項８】
前記複数対の他のノズルユニットは、水平方向に対して傾斜させて配置することが可能であることを特徴とする請求項７記載の容器の水滴除去装置。
【発明の詳細な説明】
【技術分野】
【０００１】
本発明は容器の水滴除去装置に係り、特に容器の外面に付着した水滴を除去する容器の水滴除去装置に関するものである。
【背景技術】
【０００２】
コンベアにより搬送される容器を搬送中に検査する容器検査装置が従来から知られている。この容器検査装置には、容器の外面の外観検査を撮像により行なう装置があり、この装置においては、容器の外面をカメラにより撮像した画像を走査して画素ごとの明るさ比較により容器の良、不良を判定する。この場合、容器の外面に水滴が付着していると、水滴が暗く映るので誤判定する。このため、検査装置の上流側においてコンベアの両側に、コンベアの搬送経路に沿ってエア（圧縮空気）を噴出する複数のエアノズルを配置し、搬送中の容器の外面にエアをあてて水滴を除去している。
【０００３】
また、特開平９−７９７４７号公報（特許文献１）には、コンベアを挟んで吸水スポンジベルトからなる胴部用拭取部材とネック部用拭取部材とを対向して設置し、コンベアで容器を搬送し、走行する胴部用拭取部材と容器ガイドで容器の胴部を挟持して容器を回転させ、かつネック部用拭取部材を走行させて容器の胴部とネック部の水滴除去を行う水滴除去装置が開示されている。
【先行技術文献】
【特許文献】
【０００４】
【特許文献１】特開平９−７９７４７号公報
【発明の概要】
【発明が解決しようとする課題】
【０００５】
上述したエアノズルを備えた従来の装置においては、コンベアの両側に配置されたエアノズルでは、コンベアにより搬送される容器の進行方向の前後の面に対してはエアがほとんど当たらずに、容器の進行方向の前後面に水滴が残ってしまうという問題がある。
また、特許文献１に開示されたような拭取部材を備えた装置においては、現在用いられているペットボトル等のように容器外面にリブやへこみがある場合には、容器の外面から完全に水滴を除去することができないという問題がある。また、四角や長四角等の多角形断面を有した容器では、容器を回転させることができないため、拭取りできない面が残ってしまうという問題がある。
【０００６】
本発明は、上述の事情に鑑みてなされたもので、外面にリブやへこみがある容器や角形の容器の場合にも容器の外面に付着した水滴を除去することができ、コンベアにより搬送される容器の進行方向の前後面に付着した水滴と容器の両側面に付着した水滴をともに除去することができる容器の水滴除去装置を提供することを目的とする。
【課題を解決するための手段】
【０００７】
上述の目的を達成するため、本発明の容器の水滴除去装置は、コンベアにより搬送される容器の外面に付着した水滴を除去する装置において、前記コンベアの搬送方向の上流側であって、コンベアの両側に対向して配置された対をなす２つの上流側ノズルユニットと、前記コンベアの両側に対向して配置されるとともに前記２つの上流側ノズルユニットからそれぞれ所定の間隔を置いて下流側に配置された対をなす２つの下流側ノズルユニットとを備え、前記上流側および下流側ノズルユニットのノズルは、前記コンベアにより搬送される容器の進行方向の前面および後面に向けて同時に圧縮空気を吹き付けることが可能なノズルであることを特徴とする。
【０００８】
本発明によれば、容器はコンベアにより搬送されて上流側ノズルユニット及び下流側ノズルユニットの前面を通過していく。このとき、上流側ノズルユニット及び下流側ノズルユニットから容器の進行方向の前面および後面にエア（圧縮空気）が吹きつけられる。上流側及び下流側の４つのノズルユニットは、同時に容器の進行方向の前面および後面にエア（圧縮空気）を吹きつけることにより容器に加わる力のバランスを取ることができ、容器を転倒させることなく強い圧力で容器にエアを吹きつけることができる。これにより、容器の進行方向の前後面に付着した水滴を除去することができる。上流側及び下流側の４つのノズルユニットの位置およびノズルの角度は、容器が上流側及び下流側の４つのノズルユニットに囲まれた位置に搬送されてきたときに、４方向から同時に容器の前後面にエアを吹きつけることにより容器に加わる力のバランスを取ることができ、容器を転倒させることなく強い圧力で容器にエアを吹きつけることができるように設定されている。
【０００９】
本発明の一態様によれば、前記上流側および下流側ノズルユニットのノズルは、それぞれコンベアの幅方向に対して所定角度だけ傾いていることを特徴とする。
本発明によれば、上流側ノズルユニットのノズルは、コンベアにより搬送される容器の進行方向の後面に向けてエア（圧縮空気）を噴出するような角度に設定されている。また、下流側ノズルユニットのノズルは、コンベアにより搬送される容器の進行方向の前面に向けてエア（圧縮空気）を噴出するような角度に設定されている。
本発明の一態様によれば、前記所定角度は、前記コンベアの幅方向に対して時計方向回りまたは反時計方向回りに２０°〜３０°であることを特徴とする。
【００１０】
本発明の一態様によれば、搬送される容器のサイズに応じて、前記２つの上流側ノズルユニット間の距離および前記２つの下流側ノズルユニット間の距離を調整可能であることを特徴とする。
本発明の一態様によれば、搬送される容器のサイズに応じて、前記上流側ノズルユニットと前記下流側ノズルユニットとの間の距離を調整可能であることを特徴とする。
本発明によれば、容器のサイズが大きい場合には、容器のサイズが小さい場合に比べて、コンベアの幅方向における対向する上流側ノズルユニット間の距離および対向する下流側ノズルユニット間の距離を大きくし、またコンベアの搬送方向における上流側ノズルユニットと下流側ノズルユニット間の距離を大きくすることができる。このように、容器のサイズに応じて距離を調整することにより、上流側及び下流側ノズルユニットから噴出されるエア（圧縮空気）は、容器の進行方向の前後面の中央部に当たるようにできる。上流側及び下流側の４つのノズルユニットは、同時に容器の進行方向の前面および後面にエア（圧縮空気）を吹きつけることにより容器に加わる力のバランスを取ることができ、容器を転倒させることなく強い圧力で容器にエアを吹きつけることができる。これにより、容器の進行方向の前後面に付着した水滴を除去することができる。
【００１１】
本発明の一態様によれば、前記上流側および下流側ノズルユニットのさらに上流側及び／又は下流側に、前記コンベアの両側に対向して配置された対をなす２つの他のノズルユニットをさらに備え、該２つの他のノズルユニットは前記コンベアにより搬送される容器の両側面に向けて同時に圧縮空気を吹き付けることが可能であることを特徴とする。
本発明によれば、対をなす２つの他のノズルユニットの前面を容器が通過する間に、これらの他のノズルユニットは、同時に容器の両側面にエア（圧縮空気）を吹きつけることにより容器に加わる力のバランスを取ることができ、容器を転倒させることなく強い圧力で容器にエアを吹きつけることができる。これにより、容器の両側面に付着した水滴を除去することができる。
【００１２】
本発明の一態様によれば、前記対をなす２つの他のノズルユニットは、前記コンベアの搬送方向に間隔を置いて複数対設けられていることを特徴とする。
本発明の一態様によれば、前記複数対の他のノズルユニットは、水平方向に対して傾斜させて配置することが可能であることを特徴とする。
【発明の効果】
【００１３】
本発明は、以下に列挙する効果を奏する。
（１）本発明によれば、コンベアにより搬送される容器の進行方向の前後面に付着した水滴と容器の両側面に付着した水滴を除去することができる。したがって、容器の外面に付着した水滴を除去することができる。
（２）本発明によれば、ペットボトルのように外面にリブやへこみがある容器や角形の容器の場合にも、容器の外面に付着した水滴を除去することができる。
（３）本発明によれば、ノズルユニットから容器にエア（圧縮空気）を吹きつける際に、容器の両側面および容器の前後面に加わる力をバランスさせることができ、容器を転倒させることなく強い圧力で容器にエア（圧縮空気）を吹きつけることができる。
【図面の簡単な説明】
【００１４】
【図１】図１は本発明に係る容器の水滴除去装置の全体構成を示す正面図である。
【図２】図２は図１のII−II線断面図である。
【図３】図３はノズルユニットを支持するための支持機構を示す平面図である。
【図４】図４は図３のIV−IV線断面図である。
【図５】図５は、ノズルユニットとコンベアにより搬送される容器との配置関係を示す図であり、図５（ａ）は平面図、図５（ｂ）は側面図である。
【図６】図６は、ノズルユニットとコンベアにより搬送される容器との配置関係を示す平面図である。
【発明を実施するための形態】
【００１５】
以下、本発明に係る容器の水滴除去装置の実施形態を図１乃至図６を参照して説明する。図１乃至図６において、同一または相当する構成要素には、同一の符号を付して重複した説明を省略する。
図１は本発明に係る容器の水滴除去装置の全体構成を示す正面図であり、図２は図１のII−II線断面図である。本発明の容器の水滴除去装置は、ＣＣＤカメラ等による撮像により容器の検査を行なう容器検査装置の上流側に設置されている。なお、本発明の容器の水滴除去装置は、容器検査装置とともに用いないで、単独で用いることもできる。本実施形態においては、容器の一種としてペットボトルを一例として説明する。図１に示すように、ペットボトルからなる容器１の胴部にはへこみ１ｈがあり、容器１の口部にはプラスチック製のキャップ１ｃが装着されている。図２に示すように、容器１はコンベア２によって所定速度で矢印Ｘ向に搬送される。
【００１６】
図１および図２に示すように、容器の水滴除去装置は、コンベア２の両側に、コンベア２の搬送方向に沿って設けられた複数のノズルユニットＮＵ１，ＮＵ２，ＮＵ３，ＮＵ４，ＮＵ５，ＮＵ６を備えている。コンベア２を挟んで対向して設置された２つのノズルユニットは、対をなしてコンベア２の搬送ラインＣＬに対して左右対称に配置されている。すなわち、コンベア２の搬送ラインＣＬの最上流の２つのノズルユニットＮＵ１，ＮＵ１は、対をなしてコンベア２の搬送ラインＣＬに対して左右対称に配置されている。また、次の２つのノズルユニットＮＵ２，ＮＵ２も対をなしてコンベア２の搬送ラインＣＬに対して左右対称に配置されている。ノズルユニットＮＵ３〜ＮＵ６も同様である。各ノズルユニットＮＵ１〜ＮＵ６は、多角形断面を有する角筒状をなし、先端部にスリット状のノズルｎを有し、細長い線状のエア（圧縮空気）を容器１に噴出するようになっている。スリット状のノズルｎは吹出口の全面が連続して開口している。また、ノズルｎは、多数の小孔が間隔を置いて直線上に配置されたノズルでもよい。
【００１７】
図３および図４は、ノズルユニットＮＵ１〜ＮＵ６を支持するための支持機構を示す図であり、図３は平面図、図４は図３のIV−IV線断面図である。図３および図４に示すように、左右の支持フレーム３，３間には２本の支持用ロッド４，４が架け渡されており、これら支持用ロッド４，４には左右一対の可動ブロック５，５が支持されている。可動ブロック５，５の上面には、雌ねじ部材６，６が固定されており、これら雌ねじ部材６，６には両ねじを形成したねじ棒７が螺合されている。そして、ねじ棒７の両端は前記支持フレーム３，３により支持されており、ねじ棒７の一端にはハンドル８が固定されている。
【００１８】
また、図１および図４に示すように前記可動ブロック５，５には吊下部材９，９を介して支持用梁１０，１０が支持されている。支持用梁１０，１０は、コンベア２の両側に配置されるとともにコンベア２の搬送方向に沿って水平方向に延びている。そして、支持用梁１０，１０に、それぞれ対をなすノズルユニットＮＵ１，ＮＵ２，ＮＵ３，ＮＵ４，ＮＵ５，ＮＵ６が支持されている。各ノズルユニットＮＵ１〜ＮＵ６は、垂直方向に延びる支持部材１２を介して支持用梁１０に支持されている。
【００１９】
上述の構成により、ハンドル８を回すことによりねじ棒７を回転させて可動ブロック５，５および支持用梁１０，１０を互いに接近又は離間させることにより、対をなす左右のノズルユニットＮＵ１〜ＮＵ６の全てを互いに接近又は離間させることができる。すなわち、コンベア２の搬送ラインＣＬの最上流の左右２つのノズルユニットＮＵ１，ＮＵ１をコンベア２上の容器１に対して同時に接近又は離間させることができるため、対をなす左右のノズルユニットＮＵ１，ＮＵ１は、コンベア２の略中心部を通る直線状の搬送ラインＣＬに沿って搬送される容器１に対して等距離を保つことができる。ノズルユニットＮＵ２〜ＮＵ６も同様である。
【００２０】
図１および図２に示すように、ノズルユニットＮＵ１，ＮＵ２，ＮＵ３，ＮＵ６は水平方向に対して斜めに傾いて配置されており、ノズルユニットＮＵ１，ＮＵ２，ＮＵ３，ＮＵ６の各ノズルｎは、コンベア２により搬送される容器１の両側面１Ｓ，１Ｓに対向しており、主として容器１の両側面１Ｓ，１Ｓに付着した水滴を除去するようになっている。ノズルユニットＮＵ１〜ＮＵ６は、矢印Ａで示すように、垂直方向に延びる支持部材１２に対して上下方向に位置調整が可能になっているとともに、矢印Ｂで示すように支持部材１２に対して回転可能になっている。
【００２１】
図１および図２に示すように、ノズルユニットＮＵ４，ＮＵ４は鉛直方向に配置されており、ノズルユニットＮＵ４，ＮＵ４のノズルｎは、コンベア２により搬送される容器１の進行方向の後面１Ｂに向けてエア（圧縮空気）を噴出するような角度に設定されている。また、左右のノズルユニットＮＵ５，ＮＵ５は鉛直方向に配置されており、ノズルユニットＮＵ５，ＮＵ５のノズルｎは、コンベア２により搬送される容器１の進行方向の前面１Ｆに向けてエア（圧縮空気）を噴出するような角度に設定されている。図２に示すように、ノズルユニットＮＵ４，ＮＵ５のノズルｎの角度は、コンベア２の幅方向に対して時計方向回りまたは反時計方向回りにθ＝２０°〜３０°に設定されている。
【００２２】
図１および図２に示すように、ノズルユニットＮＵ４，ＮＵ４はコンベア２の搬送方向に移動できないが、ノズルユニットＮＵ５，ＮＵ５はコンベア２の搬送方向に移動可能になっている。すなわち、ノズルユニットＮＵ５，ＮＵ５を支持する支持部材１２，１２は、ブロック状のスライダ１４に固定されており、スライダ１４には雌ねじ部材１５が固定されている。一方、支持用梁１０には２本のガイドバー１６が支持されており、スライダ１４はガイドバー１６，１６に沿って移動可能になっている。スライダ１４に固定された雌ねじ部材１５には、ねじ棒１８が螺合されており、ねじ棒１８は支持用梁１０に固定されたブラケット１９により支持されている。そして、ねじ棒１８の端部には、ハンドル２０が固定されている。
【００２３】
上述の構成により、ハンドル２０を回すことによりねじ棒１８を回転させてスライダ１４をガイドバー１６，１６に沿って移動させることにより、支持部材１２およびノズルユニットＮＵ５を図２の矢印Ｃで示す方向に移動させることができる。
【００２４】
次に、図１乃至図４に示すように構成された容器の水滴除去装置の作用を説明する。
複数の容器１は所定間隔を置いてコンベア２により順次搬送される。この搬送中に容器１は、対向して配置されたノズルユニットＮＵ１，ＮＵ２，ＮＵ３の前面を通過していく。このとき、ノズルユニットＮＵ１，ＮＵ２，ＮＵ３から容器１の両側面１Ｓ，１Ｓにエア（圧縮空気）が吹きつけられる。図１に示すように、ノズルユニットＮＵ１，ＮＵ２，ＮＵ３は、水平方向に対して所定の角度で傾き、かつ下流にいくにつれて配置された高さが順次低くなっている。図1においては、ノズルユニットＮＵ１〜ＮＵ３は水平方向に対して約２５°の角度で傾斜している。したがって、ノズルユニットＮＵ１は、容器１のキャップ１ｃから胴部上部までの側面１Ｓに付着した水滴を除去し、ノズルユニットＮＵ２は、容器１の肩部から胴部中段部までの側面１Ｓに付着した水滴を除去し、ノズルユニットＮＵ３は、容器１の胴部上部から胴部下部までの側面１Ｓに付着した水滴を除去する。
【００２５】
上述したように、容器１が下流に搬送されるにつれて、容器１の側面１Ｓに付着した水滴は、容器１の上から下に向かって除去されるようになっている。ノズルユニットＮＵ１〜ＮＵ３の上下方向の位置および傾斜角度は、容器１の側面１Ｓからの水滴の除去が容器１の上から下に向かって順次行うことができるように調整されている。また、容器１がノズルユニットＮＵ１，ＮＵ２，ＮＵ３の前面を通過する間に、対向するノズルユニットＮＵ１〜ＮＵ３は、同時に容器１の両側面１Ｓ，１Ｓにエア（圧縮空気）を吹きつけることにより容器１に加わる力のバランスを取ることができ、容器１を転倒させることなく強い圧力で容器１にエアを吹きつけることができる。
【００２６】
次に、容器１はノズルユニットＮＵ４，ＮＵ５の前面を通過していく。このとき、ノズルユニットＮＵ４，ＮＵ５から容器１の進行方向の前面１Ｆおよび後面１Ｂにエア（圧縮空気）が吹きつけられる。４つのノズルユニットＮＵ４，ＮＵ５は、同時に容器１の進行方向の前面１Ｆおよび後面１Ｂにエア（圧縮空気）を吹きつけることにより容器１に加わる力のバランスを取ることができ、容器１を転倒させることなく強い圧力で容器１にエアを吹きつけることができる。これにより、容器１の進行方向の前後面１Ｆ，１Ｂに付着した水滴を除去することができる。４つのノズルユニットＮＵ４，ＮＵ５の位置およびノズルｎの角度は、容器１が４つのノズルユニットＮＵ４，ＮＵ５に囲まれた位置に搬送されてきたときに、４方向から同時に容器１の前後面１Ｆ，１Ｂにエアを吹きつけることにより容器１に加わる力のバランスを取ることができ、容器１を転倒させることなく強い圧力で容器１にエアを吹きつけることができるように設定されている。ノズルユニットＮＵ４，ＮＵ５のノズルｎの角度は、コンベア２の幅方向に対して時計方向回りまたは反時計方向回りにθ＝２０°〜３０°に設定されている。
【００２７】
その後、容器１はノズルユニットＮＵ６の前面を通過していく。このとき、ノズルユニットＮＵ６から容器１の胴部下部から胴部底部までの両側面１Ｓ，１Ｓにエアが吹きつけられ、容器１の両側面１Ｓ，１Ｓに付着した水滴は除去される。
【００２８】
図５は、ノズルユニットＮＵ４，ＮＵ５とコンベア２により搬送される容器１との配置関係を示す図であり、図５（ａ）は平面図、図５（ｂ）は側面図である。図５（ａ）および図５（ｂ）では、円形断面の容器が示されている。図５（ａ）および図５（ｂ）に示すように、ノズルユニットＮＵ４，ＮＵ５のノズルｎは、容器１の高さと概略同一の高さを有するように鉛直方向に細長（スリット）状に延びている。このように、各ノズルｎの吹出口を全面が連続して開口したスリット状にして、容器１に吹きつけられる空気が拡散しない細長い線状にしている。これによって、単位面積あたりの容器１の外面に吹きつける空気の圧力を高くし水滴を除去しやすくしている。なお、ノズルｎは、多数の小孔が間隔を置いて直線上に配置されたノズルでもよい。ノズルユニットＮＵ４，ＮＵ５はエアダクト２１，２１によってエアブロワ（図示せず）に接続されている。なお、ノズルユニットＮＵ１〜ＮＵ３，ＮＵ６の構成もノズルユニットＮＵ４，ＮＵ５の構成と同様である。
本実施例において、ノズルユニットＮＵ４，ＮＵ５は、鉛直方向に配置されているが、容器１の前後面１Ｆ，１Ｂにエアを吹き付けることができ容器1を転倒させることなく水滴を除去できる範囲であれば鉛直方向でなく傾斜して配置されていてもよい。この場合、図１において、ノズルユニットＮＵ１等と同様にノズルユニットＮＵ４，ＮＵ５を傾斜させてもよいが、水平方向に対する傾斜角度はノズルユニットＮＵ１等に比べて大きく、例えば、ノズルユニットＮＵ４，ＮＵ５の水平方向に対する傾斜角度は、容器１の前後面１Ｆ，１Ｂの全面にわたってエアを吹き付けられるように、７５°以上（９０°以下）などと大きくすることが好ましい。
【００２９】
図５（ａ）に示すように、容器１が４つのノズルユニットＮＵ４，ＮＵ５に囲まれた位置に搬送されてきたとき、４つのノズルユニットＮＵ４，ＮＵ５は、同時に容器１の進行方向の前面１Ｆおよび後面１Ｂにエア（圧縮空気）を吹きつけることにより容器１に加わる力のバランスを取ることができ、容器１を転倒させることなく強い圧力で容器１にエアを吹きつけることができる。これにより、容器１の進行方向の前後面１Ｆ，１Ｂに付着した水滴を除去することができる。
【００３０】
図６は、ノズルユニットＮＵ４，ＮＵ５とコンベア２により搬送される容器１との配置関係を示す平面図である。図６では、角形断面の容器が示されている。図６の上部では、容器１のサイズが小さい場合を示し、図６の下部では、容器１のサイズが大きい場合を示している。図６に示すように、容器１のサイズが大きい場合には、容器１のサイズが小さい場合に比べて、コンベアの幅方向における対向するノズルユニットＮＵ４，ＮＵ４間の距離Ｌ１および対向するノズルユニットＮＵ５，ＮＵ５間の距離Ｌ１を大きくし、またコンベア２の搬送方向におけるノズルユニットＮＵ４とノズルユニットＮＵ５間の距離Ｌ２を大きくしている。このように、容器のサイズに応じて距離Ｌ１，Ｌ２を調整することにより、ノズルユニットＮＵ４，ＮＵ５から噴出されるエアは、容器１の進行方向の前後面１Ｆ，１Ｂの中央部に当たるようにしている。４つのノズルユニットＮＵ４，ＮＵ５は、同時に容器１の進行方向の前面１Ｆおよび後面１Ｂにエア（圧縮空気）を吹きつけることにより容器１に加わる力のバランスを取ることができ、容器１を転倒させることなく強い圧力で容器１にエアを吹きつけることができる。これにより、容器１の進行方向の前後面１Ｆ，１Ｂに付着した水滴を除去することができる。
【００３１】
なお、容器１がノズルユニットＮＵ４，ＮＵ４の上流側からノズルユニットＮＵ４，ＮＵ４の位置にきたときに、ノズルユニットＮＵ４，ＮＵ４からエアは角形の容器１の両側面１Ｓ，１Ｓに吹きつけられるが、容器１の両側面１Ｓ，１Ｓに加わる力はバランスしているので容器１が転倒することはない。そして、容器１がさらに進行すると、ノズルユニットＮＵ４，ＮＵ４からのエアは角形の容器１の角部を経て容器１の進行方向の後面１Ｂに当たるようになるが、このとき、ノズルユニットＮＵ５，ＮＵ５からのエアが容器１の進行方向の前面１Ｆに当たるようになる。そのため、ノズルユニットＮＵ４，ＮＵ５からのエアによる容器１の前後面１Ｆ，１Ｂに加わる力は、バランスし、容器１が転倒することはない。
【００３２】
これまで本発明の実施形態について説明したが、本発明は上述の実施形態に限定されず、その技術思想の範囲内において、種々の異なる形態で実施されてよいことは勿論である。
【符号の説明】
【００３３】
１      容器
１ｃ    キャップ
１Ｂ    後面
１Ｆ    前面
１Ｓ    側面
２      コンベア
３      支持フレーム
４      支持用ロッド
５      可動ブロック
６      雌ねじ部材
７      ねじ棒
８      ハンドル
９      吊下部材
１０      支持用梁
１２      支持部材
１４      スライダ
１５      雌ねじ部材
１６      ガイドバー
１８      ねじ棒
１９      ブラケット
２０      ハンドル
２１      エアダクト
ＣＬ    搬送ライン
ＮＵ１，ＮＵ２，ＮＵ３，ＮＵ４，ＮＵ５，ＮＵ６    ノズルユニット
【図１】
2011133153.tif 000003
【図２】
2011133153.tif 000004
【図３】
2011133153.tif 000005
【図４】
2011133153.tif 000006
【図５】
2011133153.tif 000007
【図６】
2011133153.tif 000008